(57)【要約】【課題】ホールインジケーターを外してメンテナンスボックスを操作する時に、誤発報の発生を抑制できるエレベータのメンテナンスシステムを提供すること。【解決手段】エレベータのメンテナンスシステムは、監視センタに繋がれたエレベータのメンテナンス時に使用され、前記監視センタに対して故障を発報する発報機能を有し、エレベータ乗場の壁の内側に収納されたメンテナンスボックス１と、エレベータの通常運転時には、前記壁に取り付けられているとともに、メンテナンスボックス１に接続されており、エレベータのメンテナンス時には、前記壁から取り外されるホールインジケーター３と、ホールインジケーター３が前記壁に取り付けられている時、前記発報機能が有効となり、かつ、ホールインジケーター３が前記壁から取り外されることに連動して、前記発報機能が無効となるように、前記発報機能を制御する発報制御手段７とを備えている。【選択図】      図１
2012056707.tif 000002
【特許請求の範囲】
【請求項１】
監視センタに繋がれたエレベータのメンテナンス時に使用され、前記監視センタに対して故障を発報する発報機能を有し、エレベータ乗場の壁の内側に収納されたメンテナンスボックスと、
前記エレベータの通常運転時には、前記壁に取り付けられているとともに、前記メンテナンスボックスに接続されており、前記エレベータのメンテナンス時には、前記メンテナンスボックスを操作できるように、前記壁から取り外すことができるホールインジケーターと、
前記ホールインジケーターが前記壁に取り付けられている時、前記発報機能が有効となり、かつ、前記ホールインジケーターが前記壁から取り外されることに連動して、前記発報機能が無効となるように、前記発報機能を制御するための発報制御手段と
を具備してなることを特徴するエレベータのメンテナンスシステム。
【請求項２】
前記発報制御手段は、押されている間だけスイッチがオンになるモーメンタリ式押しボタンスイッチと、前記ホールインジケーターが前記壁に取り付けられている時、前記モーメンタリ式押しボタンスイッチを押すためのボタン押し部材とを備え、
前記ホールインジケーターが前記壁に取り付けられ、前記ボタン押し部材により前記モーメンタリ式押しボタンスイッチが押され、前記モーメンタリ式押しボタンスイッチがオンの時に、前記発報機能は有効となり、前記ホールインジケーターが前記壁から取り外され、前記ボタン押し部材が前記モーメンタリ式押しボタンスイッチから離れ、前記モーメンタリ式押しボタンスイッチがオフの時に、前記発報機能は無効となることを特徴とする請求項１に記載のエレベータのメンテナンスシステム。
【請求項３】
監視センタに繋がれたエレベータのメンテナンス時に使用され、前記監視センタに対して故障を発報する発報機能を有し、エレベータ乗場の壁の内側に収納されたメンテナンスボックスと、
前記エレベータの通常運転時には、前記壁に取り付けられているとともに、前記メンテナンスボックスに接続されており、前記エレベータのメンテナンス時には、前記メンテナンスボックスを操作できるように、前記壁から取り外すことができるホールインジケーターと、
前記ホールインジケーターが前記壁に取り付けられている時、前記発報機能が有効となり、かつ、前記ホールインジケーターが前記壁から取り外されてから所定の時間が経過した場合において、前記ホールインジケーターが前記壁に取り付けられていないときに、前記発報機能が有効となるように、前記発報機能を制御する発報制御手段と
を具備してなることを特徴するエレベータのメンテナンスシステム。
【請求項４】
前記発報制御手段は、押されている間だけオンとなるモーメンタリ式押しボタンスイッチと、前記ホールインジケーターが前記壁に取り付けられている時、前記モーメンタリ式押しボタンスイッチを押すためのボタン押し部材と、押すたびにオンとオフが反転するオルタネイト式スイッチとを備え、
前記モーメンタリ式押しボタンスイッチおよび前記オルタネイト式スイッチンの両方がオンの時に、前記発報機能は有効となり、
前記所定の時間が経過した場合において、前記モーメンタリ式押しボタンスイッチがオフ、かつ、前記オルタネイト式スイッチがオンのときに、前記発報機能は有効となることを特徴とする請求項３に記載のエレベータのメンテナンスシステム。
【請求項５】
監視センタに繋がれたエレベータのメンテナンス時に使用され、前記監視センタに対して故障を発報する発報機能を有し、エレベータ乗場の壁の内側に収納されたメンテナンスボックスと、
前記エレベータの通常運転時には、前記壁に取り付けられているとともに、前記メンテナンスボックスに接続されており、前記エレベータのメンテナンス時には、前記メンテナンスボックスを操作できるように、前記壁から取り外すことができるホールインジケーターと、
前記ホールインジケーターが前記壁に取り付けられている時、前記発報機能が有効となるように、前記発報機能を制御する発報制御手段と、
前記ホールインジケーターが前記壁から取り外され、その後、前記ホールインジケーターが前記壁に取り付けられた場合において、前記発報機能が無効のときには、前記エレベータの保守員に対して、前記発報機能が無効であることを呈示する呈示手段と
を具備してなることを特徴するエレベータのメンテナンスシステム。
【請求項６】
前記発報制御手段は、押されている間だけオンとなるモーメンタリ式押しボタンスイッチと、前記ホールインジケーターが前記壁に取り付けられている時、前記モーメンタリ式押しボタンスイッチを押すためのボタン押し部材と、押すたびにオンとオフが反転するオルタネイト式スイッチとを備え、
前記モーメンタリ式押しボタンスイッチおよび前記オルタネイト式スイッチの両方がオンの時に、前記発報機能は有効となり、
前記モーメンタリ式押しボタンスイッチがオン、かつ、前記オルタネイト式スイッチがオフの時に、前記呈示手段は前記保守員に対して前記発報機能が無効であることを呈示することを特徴とする請求項５に記載のエレベータのメンテナンスシステム。
【請求項７】
前記モーメンタリ式押しボタンスイッチおよび前記オルタネイト式スイッチの両方がオフの時に、前記発報機能は無効となることを特徴とする請求項４または６に記載のエレベータのメンテナンスシステム。
【請求項８】
前記ホールインジケーターは、中継コネクタを介して、前記メンテナンスボックスに接続されていることを特徴とする請求項１ないし７のいずれか１項に記載のエレベータのメンテナンスシステム。
【請求項９】
前記エレベータは、マシンルームレスエレベータであることを特徴とする請求項１ないし８のいずれか１項に記載のエレベータのメンテナンスシステム。
【発明の詳細な説明】
【技術分野】
【０００１】
本発明の実施形態は、監視センタに繋がれたエレベータのメンテナンスシステムに関する。
【背景技術】
【０００２】
マシンルームレスタイプのエレベータの場合、ホールインジケーターの裏側にメンテナンスボックスを設けていることが多い。エレベータの点検時には、ホールインジケーターを取り外して、メンテナンスボックスの蓋を開ける。ホールインジケーターの裏側には中継コネクタが設けられている。ホールインジケーターは、中継コネクタに接続されたケーブルを介して、メンテナンスボックスに接続される。ホールインジケーターは、メンテナンスボックスを介して、制御盤に接続される。
【０００３】
保守契約を行っているエレベータの場合、エレベータは監視センタに繋がれている。メンテナンスボックスは、上記監視センタに対して故障を発報する機能（故障発報の機能）を有する。例えば、中継コネクタからケーブルが外れていると、メンテナンスボックスは監視センタに対して故障を発報する。故障発報があった場合、エレベータの点検が行われる。
【０００４】
エレベータの点検は、メンテナンスボックスの故障発報の機能を無効にした状態で行われる。その理由は、エレベータの点検時に、監視センタに対して誤って故障を発報することを防止するためである（誤発報の防止）。そのために、メンテナンスボックス内には、故障発報の機能の有無を切り替えるためのスイッチ（故障発報切替スイッチ）が設けられている。
【０００５】
故障発報の機能が無効となるように、故障発報切替スイッチの操作を行うためには、ホールインジケーターを外す必要がある。その後、メンテナンスボックスの蓋を開けて、その中にある故障発報切替スイッチを操作する。
【先行技術文献】
【特許文献】
【０００６】
【特許文献１】特開２０００−１５９４５６号公報
【発明の概要】
【発明が解決しようとする課題】
【０００７】
しかしながら、メンテナンスボックスの蓋を開ける時から、メンテナンスボックスの故障発報切替スイッチの操作が終了するまでの間に、中継コネクタに接続されたケーブルが外れ、ホールインジケーターとメンテナンスボックスとの接続が絶たれると、誤発報が発生するという事態が生じる。
【０００８】
したがって、ホールインジケーターを外してメンテナンスボックスを操作する時に、誤発報の発生を抑制できる、エレベータのメンテナンスシステムが求められる。
【課題を解決するための手段】
【０００９】
実施形態のエレベータのメンテナンスシステムは、監視センタに繋がれたエレベータの点検時に使用され、前記監視センタに対して故障を発報する発報機能を有し、エレベータ乗場の壁の内側に収納されたメンテナンスボックスと、前記エレベータの通常運転時には、前記壁に取り付けられているとともに、前記メンテナンスボックスに接続されており、前記エレベータのメンテナンス時には、前記メンテナンスボックスを操作できるように、前記壁から取り外すことができるホールインジケーターと、前記ホールインジケーターが前記壁に取り付けられている時、前記発報機能が有効となり、かつ、前記ホールインジケーターが前記壁から取り外されることに連動して、前記発報機能が無効となるように、前記発報機能を制御する制御手段とを具備してなることを特徴する。
【００１０】
実施形態のエレベータのメンテナンスシステムは、監視センタに繋がれたエレベータの点検時に使用され、前記監視センタに対して故障を発報する発報機能を有し、エレベータ乗場の壁の内側に収納されたメンテナンスボックスと、前記エレベータの通常運転時には、前記壁に取り付けられているとともに、前記メンテナンスボックスに接続されており、前記エレベータのメンテナンス時には、前記メンテナンスボックスを操作できるように、前記壁から取り外すことができるホールインジケーターと、前記ホールインジケーターが前記壁に取り付けられている時、前記発報機能が有効となり、かつ、前記ホールインジケーターが前記壁から取り外されてから所定の時間が経過した場合において、前記ホールインジケーターが前記壁に取り付けられていないときに、前記発報機能が有効となるように、前記発報機能を制御する制御手段とを具備してなることを特徴する。
【００１１】
実施形態のエレベータのメンテナンスシステムは、監視センタに繋がれたエレベータの点検時に使用され、前記監視センタに対して故障を発報する発報機能を有し、エレベータ乗場の壁の内側に収納されたメンテナンスボックスと、前記エレベータの通常運転時には、前記壁に取り付けられているとともに、前記メンテナンスボックスに接続されており、前記エレベータのメンテナンス時には、前記メンテナンスボックスを操作できるように、前記壁から取り外すことができるホールインジケーターと、前記ホールインジケーターが前記壁に取り付けられている時、前記発報機能が有効となるように、前記発報機能を制御する制御手段と、前記ホールインジケーターが前記壁から取り外され、その後、前記ホールインジケーターが前記壁に取り付けられた場合において、前記発報機能が無効のときには、前記エレベータの保守員に対して、前記発報機能が無効であることを呈示する呈示手段とを具備してなることを特徴する。
【図面の簡単な説明】
【００１２】
【図１】第１の実施形態に係るエレベータのメンテナンスシステムの構成を示す分解斜視図である。
【図２】第２の実施形態に係るエレベータのメンテナンスシステムの構成を示す分解斜視図である。
【図３】第２の実施形態のメンテナンスシステムの動作の一例を示すフローチャートである。
【図４】第３の実施形態に係るエレベータのメンテナンスシステムの構成を示す分解斜視図である。
【図５】第３の実施形態に係るエレベータのメンテナンスシステムの動作を説明するためのフローチャートである。
【発明を実施するための形態】
【００１３】
以下、図面を参照しながら実施形態を説明する。
【００１４】
（第１の実施形態）
図１は、第１の実施形態に係るエレベータのメンテナンスシステムの構成を示す分解斜視図である。
【００１５】
図中、１はメンテナンスボックスを示しており、メンテナンスボックス１は図示しないエレベータ乗場の壁の内側に収納されている。メンテナンスボックス１は、監視センタ４０に繋がれたエレベータの点検時に使用されるとともに、監視センタ４０に対して故障等の情報を発報する発報機能を有する。
【００１６】
メンテナンスボックス１は、エレベータ制御装置２０に接続されるとともに、エレベータ制御装置２０により制御されるようになっている。エレベータ制御装置２０は、メンテナンスボックス１以外にも、エレベータの速度や運行管理など、さまざまな制御をつかさどる装置である。エレベータ制御装置２０は、通信回線３０（例えば公衆回線網）を介して、監視センタ４０に繋がれている。メンテナンスボックス１は、エレベータ制御装置２０、通信回線３０を介して、監視センタ４０に繋がれている。
【００１７】
本実施形態のエレベータはマシンルームレスタイプのものであり、エレベータの運行状態や、エレベータの異常の有無などの情報は、監視センタ４０に送られるようになっている。メンテナンスボックス１は、監視センタ４０に対して故障以外の情報を発報する発報機能を有していても構わない。
【００１８】
メンテナンスボックス１内には、エレベータのメンテナンス（点検または保守）の時に使用する、図示しない点検スイッチや電源切離しスイッチ等の装置が設けられている。通常、メンテナンスボックス１は、メンテナンス時以外は、鍵付きのメンテナンスボックスカバー２により閉じられている。これは、保守員以外の人によって、メンテナンスボックス１内の装置が容易に触れられないようにするためである。
【００１９】
上記エレベータ乗場の壁には、ホールインジケーター３が取り付けられている。ホールインジケーター３は、階床表示、運転方向表示、ボタン登録等の機能を有する。ホールインジケーター３の裏面にメンテナンスボックス１が設置されている。ホールインジケーター３は、エレベータの通常運転には上記壁に取り付けられているが、エレベータのメンテナンス時には、メンテナンスボックス１を操作できるように、上記壁から取り外すことができるようになっている。
【００２０】
ホールインジケーター３は、ケーブル４、中継コネクタ５、ケーブル６を介して、メンテナンスボックス１に接続されている。ケーブル４は、ホールインジケーター３と中継コネクタ５とを接続する。ケーブル６は、メンテナンスボックス１と中継コネクタ５とを接続する。ホールインジケーター３は、メンテナンスボックス１を介して、エレベータ制御装置２０に接続されている。
【００２１】
本実施形態のエレベータのメンテナンスシステムは、さらに、メンテナンスボックス１の発報を制御するための発報制御部品（発報制御手段）として、モーメンタリ式押しボタンスイッチ７および突起部（ボタン押し部材）８を具備している。
【００２２】
ホールインジケーター３が上記壁に取り付けられている時に、メンテナンスボックス１の発報機能は有効になるとともに、ホールインジケーター３が上記壁から取り外されることに連動して、メンテナンスボックス１の発報機能は無効になる。
【００２３】
モーメンタリ式押しボタンスイッチ７は、メンテナンスボックス１に設けられ、押されている間だけスイッチがオンになる。モーメンタリ式押しボタンスイッチ７がオンの時に、発報機能が機能となるようにメンテナンスボックスは制御される。モーメンタリ式押しボタンスイッチ７は、押されている間だけ故障の発報機能を有効するための故障発報機能切替スイッチである。以下、モーメンタリ式押しボタンスイッチ７を発報機能切替スイッチ７という。
【００２４】
突起部８は、ホールインジケーター３の裏面に設けられ、ホールインジケーター３が上記壁に取り付けられている時に、発報機能切替スイッチ７がオンとなるように、発報機能切替スイッチ７を押すための部材である。突起部８が発報機能切替スイッチ７を押せるように、メンテナンスボックスカバー２には切り込み９が設けられている。
【００２５】
突起部８により発報機能切替スイッチ７が押され、発報機能切替スイッチ７がオンの時に、メンテナンスボックス１の発報機能は有効となる。
【００２６】
したがって、エレベータの通常運転時においては、ホールインジケーター３が上記壁に取り付けられているため、メンテナンスボックス１の発報機能は有効になっている。
【００２７】
突起部８が発報機能切替スイッチ７から離れ、発報機能切替スイッチ７がオフの時に、メンテナンスボックス１の発報機能は無効となる。
【００２８】
したがって、エレベータのメンテナンス時に、保守員がホールインジケーター３を上記壁から取り外すと、それに連動してメンテナンスボックス１の発報機能は無効となる。これにより、メンテナンスボックスカバー２を開ける前に、中継コネクタ５からケーブル４,６を外しても、誤発報は発生せず、メンテナンスの作業性が高くなる。
【００２９】
一方、従来のエレベータのメンテナンスシステムの場合、メンテナンスボックスカバーを開ける時には、誤発報防止のために、中継コネクタに接続されたケーブルが外れないように注意する必要があり、作業性が悪い。さらに、発報機能を無効にするための故障発報切替スイッチの操作を行う時も、誤発報防止のために、中継コネクタに接続されたケーブルが外れないように注意する必要があり、作業性が悪い。
【００３０】
かくして本実施形態によれば、保守員がホールインジケーター３を取り外すと自動的に監視センタ４０への発報機能が無効となるため、ホールインジケーター３を外してメンテナンスボックス１を操作して行われる、メンテナンス作業（点検作業または保守作業）の効率化を図れるようになる。
【００３１】
（第２の実施形態）
図２は、第２の実施形態に係るエレベータのメンテナンスシステムの構成を示す分解斜視図である。なお、以下の図において、既出の図と対応する部分には既出の図と同一符号を付してあり、詳細な説明は省略する。
【００３２】
本実施形態が第１の実施形態と異なる点は、押すたびにオンとオフが反転するオルタネイト式スイッチ１０をさらに備えていることにある。オルタネイト式スイッチ１０は外部から容易に操作できない位置に設けられている。これは、いたらずでオルタネイト式スイッチ１０が操作されてないようにするためである。本実施形態では、オルタネイト式スイッチ１０は、メンテナンスボックス１内に設けられている。
【００３３】
オルタネイト式スイッチ１０は、発報機能切替スイッチ７および突起部８とともに、メンテナンスボックス１の発報機能を制御するための発報制御部品である。
【００３４】
ホールインジケーター３がエレベータ乗場の壁に取り付けられている時に、メンテナンスボックス１の発報機能は有効になるとともに、ホールインジケーター３が上記壁から取り外されてから所定の時間が経過した場合において、ホールインジケーター３が上記壁に取り付けられていないときに、メンテナンスボックス１の発報機能は有効になる。
【００３５】
所定の時間とは、例えば、通常のメンテナンス作業にてホールインジケーター３を外してからメンテナンスボックスカバー１を外して発報機能切替スイッチ７をオフするまでに要する時間に余裕を見た数分程度の時間である。
【００３６】
発報機能切替スイッチ７がオンである時に、オルタネイト式スイッチ１０がオンであると、故障発報は有効となる。オルタネイト式スイッチ１０は、故障の故障発報を確定するための故障発報切替確定スイッチである。以下、オルタネイト式スイッチ１０を発報切替確定スイッチ１０という。
【００３７】
突起部８により発報機能切替スイッチ７が押され、発報機能切替スイッチ７がオン、かつ、発報切替確定スイッチ１０がオンの時に、メンテナンスボックス１の発報機能は有効となる。
【００３８】
したがって、エレベータの通常運転時においては、発報機能切替スイッチ７および発報切替確定スイッチ１０の両方がオンであるため、メンテナンスボックス１の発報機能は有効になっている。
【００３９】
ホールインジケーター３が上記壁から取り外されてから所定の時間が経過した場合において、発報機能切替スイッチ７がオフ、かつ、発報切替確定スイッチ１０がオンのときには、メンテナンスボックス１の発報機能は有効となる。
【００４０】
したがって、いたらずでホールインジケーター３が外れたり、自然に（誤動作で）ホールインジケーター３が外れた場合には、所定の時間の経過後も、発報切替確定スイッチ１０はオンであるとともに、ホールインジケーター３は外れたままとなるので、メンテナンスボックス１の発報機能は有効になる。これにより、監視センタ４０は、いたらず等でホールインジケーター３が外れた場合と、メンテナンスでホールインジケーター３が外されたと場合とを区別でき、エレベータに対してより適切なメンテナンスを行えるようになる。
【００４１】
また、発報機能切替スイッチ７および発報切替確定スイッチ１０の両方がオフの時に、メンテナンスボックス１の発報機能は無効になる。
【００４２】
したがって、エレベータのメンテナンス時に、保守員がホールインジケーター３を上記壁から取り外して、発報機能切替スイッチ７がオフになり、その後、保守員が発報切替確定スイッチ１０をオンからオフに切り替え、さらに、所定の時間内にメンテナンス作業を終えた場合、誤発報は発生しない。
【００４３】
図３は、本実施形態のメンテナンスシステムの動作の一例を示すフローチャートである。
【００４４】
通常運転（スイッチ７,１０がオン）をスタートとし、発報機能切替スイッチ７がオフか否かが判断される（ステップＳ１）。
【００４５】
ホールインジケーター３が取り外されると、発報機能切替スイッチ７はオフとなり、発報機能は無効となる。したがって、ステップＳ１の判断結果がＹＥＳの場合には、発報機能は無効となる（ステップＳ２）。
【００４６】
一方、ステップＳ１の判断結果がＮＯの場合、通常運転が行われていると考えられるので、特別な処理や判断は行われない。
【００４７】
次に、発報切替確定スイッチ１０がオフか否かが判断される（ステップＳ３）。
【００４８】
発報切替確定スイッチ１０がオフの場合としては、保守員により発報切替確定スイッチ１０がオンからオフに切り替えられ、発報機能が無効の状態で、メンテナンス作業が行われたことが考えられる。したがって、ステップＳ３の判断結果がＹＥＳの場合には、メンテナンス作業の終了後、保守員により再び発報機能は有効の状態（スイッチ７,１０がオン）に設定されると考えられるので、特別な処理や判断は行われない。
【００４９】
一方、ステップＳ３の判断結果がＮＯの場合、つまり、発報切替確定スイッチ１０がオンの場合、所定の時間が経過した場合においても、発報切替確定スイッチ１０がオンである否かが判断される（ステップＳ４）。
【００５０】
ステップＳ４の判断結果がＹＥＳの場合、つまり、所定の時間が経過した場合においても、発報切替確定スイッチ１０がオンのときには、いたずらで等で外されたホールインジケーター３が外れたままの状態であると考えられるので、発報機能は有効となる。
【００５１】
一方、ステップＳ４の判断結果がＮＯの場合、つまり、所定の時間が経過する前に、発報切替確定スイッチ１０がオンに戻った場合、ステップＳ１に戻る。この場合、何らかの原因で、一時的に、発報切替確定スイッチ１０がオフになったと考えられるので、点検は続けて行われる。
【００５２】
かくして本実施形態によれば、ホールインジケーター３が外されてから所定の時間が過ぎても発報切替確定スイッチ１０がオンの場合には、監視センタ４０への発報機能が有効となるため、保守員が通常のメンテナンス作業でホールインジケーター３を外したのか、いたずら等によりホールインジケーター３が外れたのかを判断でき、いたずら等の場合には故障発報を行えるようになる。
【００５３】
（第３の実施形態）
図４は、第３の実施形態に係るエレベータのメンテナンスシステムの構成を示す分解斜視図である。図５は、本実施形態のメンテナンスシステムの動作を説明するためのフローチャートである。
【００５４】
本実施形態が第１および第２の実施形態と異なる点は、ホールインジケーター３が上記壁から取り外され、その後、ホールインジケーター３が上記壁に取り付けられた場合において、メンテナンスボックス１の発報機能が無効（復旧忘れ）のときに、エレベータの保守員に対して、発報機能が無効であることを呈示する呈示機能を有する呈示装置１１ａ,１１ｂをさらに備えていることにある。
【００５５】
呈示装置１１ａ,１１ｂの呈示機能の有効／無効は、例えば、エレベータ制御装置２０により制御される。発報機能切替スイッチ７がオンの時、かつ、発報切替確定スイッチ１０がオフの時に、呈示装置１１ａ,１１ｂの呈示機能が有効となるように制御される。
【００５６】
図３には、メンテナンスボックス１に設けられた呈示装置１１ａと、ホールインジケーター３に設けられた呈示装置１１ｂが示されている。
【００５７】
呈示装置１１ａは、保守員に対して音的な呈示を行う装置（例えば、警告を知らせる音やアナウンスを発するスピーカ）を示している。呈示装置１１ｂは、保守員に対して視覚的な呈示を行う装置（例えば、警告を知らせる画像を表示するディスプレイ装置）を示している。なお、呈示装置１１ｂは、ホールインジケーター３に予め設けられているディスプレイ装置、例えば、階床表示を表示するディスプレイ装置と兼ねていても構わない。
【００５８】
呈示装置１１ａ,１１ｂの設置箇所は、エレベータの保守員に対して発報機能が有効であることを呈示できる箇所であれば特に限定はない。また、呈示装置１１ａ,１１ｂの一方だけを設けても構わない。
【００５９】
エレベータのメンテナンス時、ホールインジケーター３を取り外すと、発報機能切替スイッチ７は自動的にオフに切り替わるとともに、発報切替確定スイッチ１０は保守員によりオンからオフに切り替えられる。本実施形態の場合、発報機能切替スイッチ７がオンの時（ステップＳ１１）、かつ、発報切替確定スイッチ１０がオフの時（ステップＳ１２）に、呈示装置１１ａ,１１ｂの呈示機能は有効となる（ステップＳ１３）。
【００６０】
したがって、保守員がメンテナンス作業を終了し、ホールインジケーター３を取り付け終えた時に、発報切替確定スイッチ１０オフからオンに切り替わっていないと、エレベータの保守員に対して、発報機能が無効であることが呈示装置１１ａ,１１ｂにより呈示される。これにより、発報機能を有効にし忘れることを防止することが可能となる。その他、第２の実施形態と同様な効果が得られる。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１…メンテナンスボックス、２…メンテナンスボックスカバー、３…ホールインジケーター、４…ケーブル、５…中継コネクタ、６…ケーブル、７…モーメンタリ式押しボタンスイッチ、８…突起部（ボタン押し部材）、９…切り込み、１０…オルタネイト式スイッチ、１１ａ,１１ｂ…呈示装置（呈示手段）、２０…エレベータ制御装置、３０…監視センタ、４０…監視センタ。
【図１】
2012056707.tif 000003
【図２】
2012056707.tif 000004
【図３】
2012056707.tif 000005
【図４】
2012056707.tif 000006
【図５】
2012056707.tif 000007